(57)【要約】      （修正有）【課題】煙突の内部を清掃する際に先端にブラシを設けて用いる線状支持体について、低コストでも操作性と煙突屈曲部の追従性に優れたものとした煙突掃除用ロッドを提供する。【解決手段】所定の長さを有した棒状部材の先端側及び基端側に各々接続手段１２，１３を有し、ブラシを先端側に接続した状態で基端側に同じものを継ぎ足して延長しながら煙突内部に挿入して清掃を行う煙突掃除用ロッド１であって、その棒状部材を、先端側と基端側の接続手段１２，１３の間を渡して配設された線状金属による芯部１０ａと、この芯部１０ａの外周面の殆どを覆うように配設された樹脂製の管状体による鞘部１０ｂからなる、ことを特徴とするものとした。【選択図】図１
0003198815.tif 000002
【実用新案登録請求の範囲】
【請求項１】
所定の長さを有した棒状部材の先端側及び基端側に各々接続手段を有し、ブラシを先端側に接続した状態で基端側に同じものを継ぎ足して延長しながら煙突内部に挿入して清掃を行う煙突掃除用ロッドにおいて、前記棒状部材は、前記先端側と基端側の接続手段の間を渡して配設された線状金属による芯部と、該芯部の外周面の殆どを覆うように配設された樹脂製の管状体による鞘部からなる、ことを特徴とした煙突掃除用ロッド。
【請求項２】
前記線状金属は、直径が２〜４ｍｍの鋼線からなり、前記管状体は、前記線状金属の直径に対しその２〜５倍の外径でその２分の１〜２倍の厚さの外壁を有した硬質樹脂からなる、ことを特徴とする請求項１に記載した煙突掃除用ロッド。
【請求項３】
前記管状体は、前記先端側と基端側の接続手段の間隔よりも所定幅短いとともに前記線状金属及び前記接続手段に固定されておらず、前記線状金属を中心に回動可能且つ長手方向に前記所定幅分摺動可能とされている、ことを特徴とする請求項１または２に記載した煙突掃除用ロッド。
【考案の詳細な説明】
【技術分野】
【０００１】
本考案は、煙突掃除用ロッドに関し、殊に、ストーブ用煙突等、比較的内径の小さい煙突において、ブラシを先端に接続した状態で内周面に付着した汚れを落とすのに用いる煙突掃除用ロッドに関する。
【背景技術】
【０００２】
煙突の内周面に付着したススやタール等の汚れを落とす器具としては、例えば特開平９−３１０８３７号公報に記載されているもののように、煙突外部の地上側からワイヤロープを煙突先端まで持ち上げ、煙突開口部付近に配設した滑車を介して煙突内部に降ろし、このワイヤロープで吊り下げた掃除機やブラシを上下動させることで内周面の汚れを落とす方式が周知である。
【０００３】
これにより、地上側からワイヤロープを引っ張ったり送り出したりして煙突内部で掃除機やブラシを上下に移動させながら、煙突の上端側から下端側までまんべんなく掃除を行うことができる。しかしながら、この方式においては、煙突の上端側に滑車を設けておく必要があるため、既存の煙突にこの方式を適用するには手間と費用を要してしまう。
【０００４】
一方、薪ストーブなどの比較的小規模の燃焼装置に用いる内径の小さい煙突においては、弾性の強いワイヤや継ぎ足し式のロッドによる線状支持体の先端にブラシを設けてなる掃除具を、燃焼装置側から煙突内に挿入し手元側にて手動で操作しながら煙突内の掃除を行う方式のものが古くから知られており、既存の煙突においても高所に登ることなく容易に煙突の清掃を実施することができる。
【０００５】
この場合、ワイヤによる線状支持体は、コストが低廉であることに加えその柔軟性により煙突屈曲部への追従性に優れているものの、ブラシの支持体としては腰が弱いために長い煙突を清掃する際の操作性に難点がある。また、継ぎ足し式のロッドによる線状支持体は、腰が強く操作性に優れているものの、高コストであるとともに柔軟性に乏しいために煙突屈曲部における追従性に難点がある。
【先行技術文献】
【特許文献】
【０００６】
【特許文献１】特開平９−３１０８３７号公報
【考案の概要】
【考案が解決しようとする課題】
【０００７】
本考案は、上記のような問題を解決しようとするものであり、煙突の内部を清掃する際に先端にブラシを設けて用いる線状支持体について、低コストでも操作性と煙突屈曲部の追従性に優れたものとすることを課題とする。
【課題を解決するための手段】
【０００８】
そこで、本考案は、所定の長さを有した棒状部材の先端側及び基端側に各々接続手段を有し、ブラシを先端側に接続した状態で基端側に同じものを継ぎ足して延長しながら煙突内部に挿入して清掃を行う煙突掃除用ロッドにおいて、前記棒状部材は、先端側と基端側の接続手段の間を渡して配設された線状金属による芯部と、この芯部の外周面の殆どを覆うように配設された樹脂製の管状体による鞘部からなる、ことを特徴とするものとした。
【０００９】
このように、煙突掃除用ロッドの本体を構成している棒状部材を、針金やピアノ線などの線状金属による芯部の外周側を樹脂製の管状体で覆ってなるものとしたことで、低コストであっても適度な柔軟性と腰の強さを有して操作性と煙突屈曲部の追従性に優れたものとすることができる。
【００１０】
また、この煙突掃除用ロッドにおいて、その芯部を構成する線状金属を直径が２〜４ｍｍの鋼線からなるものとし、その鞘部を構成する樹脂製の管状体を前記線状金属の直径に対し、その２〜５倍の外径でその２分の１〜２倍の厚さの外壁を有した硬質樹脂からなるものとすれば、腰の強さと柔軟性のバランスに優れたものとなる。
【００１１】
さらに、上述した煙突掃除用ロッドにおいて、その管状体を、先端側と基端側の接続手段の間隔よりも所定幅短いとともに線状金属及び接続手段に固定されておらずその線状金属を中心に回動可能且つ長手方向に前記所定幅分摺動可能なものとすれば、鞘部が芯部に固定されずに摺動可能としたことで湾曲可能な範囲が一層大きくなるため、様々な形状の煙突により対応しやすいものとなる。
【考案の効果】
【００１２】
煙突掃除用ロッドを構成する棒状部材を、線状金属による芯部が樹脂製の管状体で覆われてなるものとした本考案によると、低コストでありながら操作性と煙突屈曲部の追従性に優れたものとすることができる。
【図面の簡単な説明】
【００１３】
【図１】（Ａ）は本考案における実施の形態である煙突掃除用ロッドの正面図、（Ｂ）は（Ａ）のＡ−Ａ線に沿う断面図である。
【図２】図１の煙突掃除用ロッドを用いて屋根抜き式の煙突を清掃している状態を示す縦断面図である。
【図３】図１の煙突掃除用ロッドを用いて壁抜き式の煙突の直線部を清掃している状態を示す縦断面図である。
【図４】図１の煙突掃除用ロッドを用いて壁抜き式の煙突の直線部を清掃している状態を示す縦断面図である。
【図５】図１の煙突掃除用ロッドを用いて図３の煙突の屈曲部を清掃している状態を示す縦断面図である。
【考案を実施するための形態】
【００１４】
以下に、図面を参照しながら本考案を実施するための形態を説明する。
【００１５】
図１（Ａ）は、本考案における実施の形態である煙突掃除用ロッド１を示している。この煙突掃除用ロッド１は、薪ストーブの煙突のような比較的小径の煙突の内周面を清掃するために、先端側の接続手段である接続金具１２に煙突の内径と同等の外径を有したブラシを接続するとともに、基端側の接続手段である接続金具１３に同じ構成の煙突掃除用ロッド１の接続金具１２を接続・継ぎ足して延長しながら使用することを想定したものであり、その１本あたりの長さは８０〜１００ｃｍ程度、その鞘部１０ｂの太さ（外径）は８〜２０ｍｍ程度を想定している。
【００１６】
斯かる煙突掃除用ロッド１の両端側に配設された接続金具１２，１３は、図１（Ｂ）の断面図に示すように、先端側のものがネジ孔１２ａを有し、後端側のものが前記ネジ孔１２ａに螺入可能なサイズのネジ１３ａを有して互いに対になっており、同じ構成の煙突掃除用ロッド１を複数本連結・接続しながらブラシの支持体として延長できるようになっている。
【００１７】
そして、この煙突掃除用ロッド１において、棒状部材からなるその本体１０は、接続金具１２，１３の間を渡して配設された線状金属による芯部１０ａと、その芯部１０ａの外周面の殆どを覆うように配設された硬質樹脂製の管状体による鞘部１０ｂからなるものであり、この点が本考案における最大の特徴部分となっている。
【００１８】
即ち、先端にブラシを接続した状態で継ぎ足して使用する煙突掃除用ロッド１の棒状部材からなる本体１０を、針金や鋼線等の線状金属による芯部１０ａと、それを挿通可能な内径を有して芯部１０ａの外周側を覆う樹脂製の筒状体による鞘部１０ｂからなるものとして、異なる素材によるハイブリッド構造を採用した点を特徴としており、これにより過剰なコストアップを伴うことなく、様々な煙突の形状に追従しやすい柔軟性と延長しても操作性を損ないにくい腰の強さのバランスに優れたものとしている。
【００１９】
その芯部１０ａを構成する線状金属としては、直径が２〜４ｍｍの鋼線がコストと強度のバランスの観点から好適であり、その鞘部１０ｂを構成する管状体としては、その線状金属の直径に対し、その２〜５倍の外径でその半分〜２倍の厚さの外壁を有して弾性に富む硬質樹脂製のものが、清掃作業における柔軟性と腰の強さのバランスの観点から好適である。例えば、芯部１０ａが外径２．５ｍｍの鋼線の場合、その鞘部１０ｂは外径１０ｍｍ程度、内径３ｍｍ程度のものが好ましい。
【００２０】
そして、本実施の形態においては、その樹脂製の鞘部１０ｂは、接続金具１２，１３の間隔（芯部１０ａにおける線状金属の露出部分の長さ）よりも所定幅（２〜６ｍｍ程度）短いとともに、これが芯部１０ａや接続金具１２，１３のいずれにも固定されておらず、芯部１０ａを中心に回動可能且つ長手方向に所定幅分（２〜６ｍｍ程度）摺動可能なものとされている。
【００２１】
このように、鞘部１０ｂがこれを挿通している芯部１０ａ上を長手方向に僅かに摺動可能な状態としたことで湾曲可能な範囲が拡大されたものとなっており、屈曲部などの様々な形状部分を有した煙突の内部で、各煙突掃除用ロッド１がその形状に追従しやすいようになっており、それが手の届かない離れた位置であっても、容易に清掃を行いやすいものとしている。
【００２２】
図２は、上述した煙突掃除用ロッド１の使用状態を示しており、清掃対象の煙突２０が屋根抜き式の直線状のものである場合を示している。この場合、薪ストーブ１００に最も近い基端側の煙突構成部材２３を取り外し、その上方の煙突構成部材２３の下端側開口部からブラシ１５を先端に接続した煙突掃除用ロッド１を挿入するとともに、その基端側が煤受け袋５０の上部を内側から貫通した状態にして前記開口部に装着する。
【００２３】
そして、用意しておいた他の煙突掃除用ロッド１を順次継ぎ足しながらその基端側を上下に動かして先端のブラシ１５を上下動させることにより、煙突２０の内周面をブラッシングしながら清掃を行うものである。そして、図２のように煙突２０の上部を清掃する時点において、煙突掃除用ロッド１は複数本継ぎ足されてかなり長い状態となっているが、線状金属による芯部１０ａとこれを覆って設けた樹脂製の管状体による鞘部１０ｂの組み合わせにより、操作性を損ないにくい腰の強さを発揮するものである。
【００２４】
図３は、上述した煙突掃除用ロッド１を持いて壁抜き式の煙突２１を清掃する場合を示している。この例では、煙突２１には屈曲した煙突構成部材２５，２６，２７，２８による屈曲部があるところ、図のように屋内の点検口２６ａから薪ストーブ１００に近い縦向きの煙突構成部材２３のみに挿入する際には、屈曲部を通さないでブラッシングを行えることから、前述した図２の場合と同様に行えるものである。また、図４に示すように、点検口２６ａから横向きの部分をブラッシングする場合も屈曲部がないため前述と同様である。
【００２５】
一方、屋外の開口部分から煙突構成部材２７，２８による屈曲部を含む箇所を清掃する際には、挿入したロッドがその複数の屈曲部の形状に対して柔軟に追従する必要があるところ、本実施の形態の煙突掃除用ロッド１は、図５に示すように各々が適度に湾曲しながら複数の屈曲部の形状に追従してスムースにブラッシングを行えるようになるため、熟練者でなくても効果的な清掃を容易に実施することができる。また、このように屈曲部を通して作業を行った場合でも、樹脂製の鞘部１０ｂがあることでロッドに折り癖がつきにくくなることから、良好な操作性を長期間に亘って維持することができる。
【００２６】
以上、述べたように、小径の煙突の内部を清掃する際に先端にブラシを設けて用いる線状支持体について、本考案により、低コストでありながら操作性と煙突屈曲部の追従性に優れたものとなる。
【符号の説明】
【００２７】
１  煙突掃除用ロッド、１０  本体、１０ａ  芯部、１０ｂ  鞘部、１２，１３  接続金具、１２ａ  ネジ孔、１３ａ  ネジ、１５  ブラシ、２０，２１  煙突、２３，２４，２５，２６，２７，２８  煙突構成部材、  １００  薪ストーブ
【図１】
0003198815.tif 000003
【図２】
0003198815.tif 000004
【図３】
0003198815.tif 000005
【図４】
0003198815.tif 000006
【図５】
0003198815.tif 000007